(57)【要約】【課題】コンピュータ本体とディスプレイ装置間で画像信号以外の特別な信号の送受信を行うことなしに、漏洩電波によって出力画面が盗視される危険性を低くする。【解決手段】コンピュータ本体からディスプレイ装置に画像信号を送信するとき、出力画面が変更された直後に変更画面のデータを１回だけ送信し、それ以外は「全白画面」、ダミー画面、もしくはランダムな画面のデータを送信するようにする。ディスプレイ装置側には、コンピュータ本体から送信された画像信号の中から変更画面のデータだけを取り込んで記憶する表示用ビデオメモリを備え、この表示用ビデオメモリに記憶された画面データを読み出して表示部に画面を描画する。【選択図】 図１
2010129016.tif 000002
【特許請求の範囲】
【請求項１】
コンピュータ本体からディスプレイ装置に所定の周期で出力画面の画像信号を送信するときに発生する漏洩電波が傍受され、前記出力画面が盗視されることを防止する画面盗視防止方法であって、
前記コンピュータ本体から、前記出力画面が変更された直後の１周期に、変更後の出力画面の画像信号を送信し、それ以外の各周期には全白画面の画像信号を送信する第１のステップと、
前記ディスプレイ装置において、前記全白画面の画像信号以外の画像信号を受信したときに、その画像信号を画面データに変換して表示用ビデオメモリに格納する第２のステップと、
前記ディスプレイ装置において、前記表示用ビデオメモリから前記画面データを読み出して表示部に出力画面を描画する第３のステップと
を備えたことを特徴とする画面盗視防止方法。
【請求項２】
コンピュータ本体からディスプレイ装置に所定の周期で出力画面の画像信号を送信するときに発生する漏洩電波が傍受され、前記出力画面が盗視されることを防止する画面盗視防止方法であって、
前記コンピュータ本体から、前記出力画面が変更された直後の３周期に、全白画面、変更後の出力画面、全白画面の順序で１周期に１画面ずつ画像信号を送信し、それ以外の各周期にはダミー画面又はランダムな画面の画像信号を送信する第１のステップと、
前記ディスプレイ装置において、２つの全白画面に挟まれた前記変更後の出力画面の画像信号を受信したときに、その出力画面の画像信号を画面データに変換して表示用ビデオメモリに格納する第２のステップと、
前記ディスプレイ装置において、前記表示用ビデオメモリから前記画面データを読み出して表示部に出力画面を描画する第３のステップと
を備えたことを特徴とする画面盗視防止方法。
【請求項３】
出力画面の画面データを記憶する出力用ビデオメモリを備え、所定の周期で画像信号を送信するビデオボードにおいて、
前記出力画面が変更された直後の１周期に、前記出力用ビデオメモリに記憶された変更後の出力画面の画像信号を送信し、それ以外の各周期には全白画面の画像信号を送信する画像信号出力部
を備えたことを特徴とするビデオボード。
【請求項４】
所定の周期で送信される画像信号を受信し、受信した画像信号によって表示部に画像を描画するディスプレイ装置において、
全白画面の画像信号以外の画像信号を受信したときに、その画像信号を画面データに変換して表示用ビデオメモリに格納する出力画面抽出部と、
前記表示用ビデオメモリから前記画面データを読み出して前記表示部にその画面データの画像を描画する表示回路と
を備えたことを特徴とするディスプレイ装置。
【請求項５】
請求項３に記載のビデオボードを備えたコンピュータ本体と、請求項４に記載のディスプレイ装置とが、接続ケーブルによって接続されたコンピュータシステム。
【請求項６】
出力画面の画面データを記憶する出力用ビデオメモリを備え、所定の周期で画像信号を送信するビデオボードにおいて、
前記出力画面が変更された直後の３周期に、全白画面、変更後の出力画面、全白画面の順序で１周期に１画面ずつ画像信号を送信し、それ以外の各周期にはダミー画面又はランダムな画面の画像信号を送信する画像信号出力部
を備えたことを特徴とするビデオボード。
【請求項７】
所定の周期で送信される画像信号を受信し、受信した画像信号によって表示部に画像を描画するディスプレイ装置において、
２つの全白画面によって挟まれた出力画面の画像信号を受信したときに、その出力画面の画像信号を画面データに変換して表示用ビデオメモリに格納する出力画面抽出部と、
前記表示用ビデオメモリから前記画面データを読み出して前記表示部にその画面データの画像を描画する表示回路と
を備えたことを特徴とするディスプレイ装置。
【請求項８】
請求項６に記載のビデオボードを備えたコンピュータ本体と、請求項７に記載のディスプレイ装置とが、接続ケーブルによって接続されたコンピュータシステム。
【発明の詳細な説明】
【技術分野】
【０００１】
本発明は、コンピュータシステムにおいてディスプレイ装置に送信される画像信号の漏洩電波を傍受して出力画面を盗み見るという画面盗視行為を防止する技術に関する。
【背景技術】
【０００２】
一般に、コンピュータシステムにおいてディスプレイ装置に画面を出力する場合は、コンピュータ本体によってビデオメモリに書き込まれた１画面分の画像データが、アナログまたはディジタルの画像信号に変換されて、１秒間に数十回の頻度で連続して送信され、ディスプレイ装置側で、この画像信号を受信して、やはり１秒間に数十回の頻度で画面を連続して描画することによって画像の表示が行われる。
【０００３】
コンピュータ本体からディスプレイ装置への画像信号の送信は、ビデオメモリに書き込まれた画像データがまったく変化していない場合にも、コンピュータ本体に組み込まれたビデオ回路によって常時行われているため、万一この画像信号の漏洩電波が傍受されると、コンピュータシステムの出力画面を盗視される危険性が高い。
【０００４】
そこで、重要なデータを取り扱うコンピュータシステムでは、コンピュータ本体、ディスプレイ装置との接続ケーブル、ディスプレイ装置等からこの画像信号の漏洩電波が傍受されないようにするための対策として、主としてシールドを強化して漏洩電波を弱くしたり、傍受を妨害するための電波を発信するといった方法が採用されていた。
【０００５】
また、特許文献１には、アナログＲＧＢ信号で送信される画像信号の再生に使用される同期信号の位相を変化させることにより、その漏洩電波からは乱れた画像しか再生できないようにする技術が開示されており、特許文献２及び特許文献３には画像信号中にダミーデータを付加することによって漏洩電波からの画像の再生を防止する技術が開示されている。
【特許文献１】特開平６−８３２９８号公報（段落００３９〜００４１、図３）
【特許文献２】特開平５−１５１１１４号公報（段落００１６〜００２２、図１）
【特許文献３】特開平６−２１４７５０号公報（段落０００５〜００１０、図１）
【発明の開示】
【発明が解決しようとする課題】
【０００６】
しかしながら、特許文献１に開示された技術では、傍受した画像信号を解析することによって、画像データに含まれている文字を推定できてしまうという問題があった。また前記の従来技術は、いずれもコンピュータ本体とディスプレイ装置との間で画像信号以外に特別な信号の送受信が必要となっていた。
【０００７】
本発明は、前記課題を解決するためになされたものであり、コンピュータ本体とディスプレイ装置間で画像信号以外の特別な信号の送受信を行うことなしに、漏洩電波によって出力画面が盗視される危険性を低くすることを目的とする。
【課題を解決するための手段】
【０００８】
前記目的を達成するために、本発明による画面盗視防止方法は、コンピュータ本体からディスプレイ装置に所定の周期で画像信号を送信するとき、コンピュータ本体に備えた出力用ビデオメモリに記憶される画面データが変更された直後に、変更された画面データを１回だけ送信し、それ以外は常時「全白画面」のデータを送信するようにし、ディスプレイ装置側に、コンピュータ本体から送信された画像信号の中から「全白画面」以外の画面データだけを取り込んで記憶する表示用ビデオメモリを備え、この表示用ビデオメモリに記憶された画面データを読み出して表示部に画像を描画するようにした。
【０００９】
また、本発明による他の画面盗視防止方法は、コンピュータ本体からディスプレイ装置に所定の周期で画像信号を送信するとき、コンピュータ本体に備えた出力用ビデオメモリに記憶される画面データが変更された直後に、変更された画面データを２つの「全白画面」に挟んで１回だけ送信し、それ以外はダミー画面又はランダムな画面のデータを送信するようにし、ディスプレイ装置側に、コンピュータ本体から送信された画像信号の中から２つの「全白画面」で挟まれた画面データだけを取り込んで記憶する表示用ビデオメモリを備え、この表示用ビデオメモリに記憶された画面データを読み出して表示部に画像を描画するようにした。
【発明の効果】
【００１０】
本発明によれば、コンピュータ本体とディスプレイ装置間で画像信号以外の特別な信号の送受信を行う必要がなく、かつ、出力画面に変化がないときには、「全白画面」、ダミー画面、もしくはランダムな画面しか送受信されないので、漏洩電波によって出力画面が盗視される危険性を低くすることができる。また、出力画面に変化があったときには、画面データを１回だけ送信し、続いて「全白画面」を送信するので、盗視された画像が残像効果が大きい表示装置に表示された場合にも、出力画面が盗視される危険性を低くすることができる。
【発明を実施するための最良の形態】
【００１１】
以下、本発明に係る画面盗視防止方法の最良の実施形態について、図面を参照して詳細に説明する。
【００１２】
図１は、本発明に係る画面盗視防止方法を用いたコンピュータシステムの構成例を示すブロック図である。
【００１３】
図１に示すように、コンピュータシステム１０は、コンピュータ本体１と、ディスプレイ装置２と、両者の間を接続する接続ケーブル３とを備えて構成される。
【００１４】
コンピュータ本体１には、ＣＰＵ１１と、出力用ビデオメモリ１２及び画像信号出力部１３を備えたビデオボード１４とが備えられる。画像信号出力部１３は、ＣＰＵ１１が出力用ビデオメモリ１２に書き込んだ出力画面の画像データ（以下、「画面データ」という）を所定周期（例えば、６０回／秒）で読み出し、読み出した画面データを所定形式の画像信号（例えば、アナログＲＧＢ信号）に変換して、接続ケーブル３を介してディスプレイ装置２に送信する。
【００１５】
ただし、画像信号出力部１３は、出力用ビデオメモリ１２への画面データの書き込みが行われたかどうかを常時監視しており、出力用ビデオメモリ１２への画面データの書き込みが行われた直後の１周期のみ、前記出力用ビデオメモリ１２から読み出した画面データの送信を行い、それ以外の各周期には、画面全体が「白」となる画像データ（以下、「全白画面」）を送信する。
【００１６】
一方、ディスプレイ装置２には、出力画面抽出部２１と、表示用ビデオメモリ２２と、表示回路２３と、表示部２４とが備えられる。出力画面抽出部２１は、接続ケーブル３を介してコンピュータ本体１の画像信号出力部１３から所定周期で送信される画像信号を受信し、受信した画像信号に含まれる画面データが「全白画面」であればそれを読み飛ばし、「全白画面」以外の画面データであれば、その画面データを表示用ビデオメモリ２２に格納する。
【００１７】
表示回路２３は、表示用ビデオメモリ２２に格納された画面データを所定周期（例えば、６０回／秒）で読み出し、ＬＣＤ（Ｌｉｑｕｉｄ  Ｃｒｙｓｔａｌ  Ｄｉｓｐｌａｙ）等の表示部２４に読み出した画面データの画像を繰り返し描画する。
【００１８】
図２は、従来のコンピュータシステムの画像信号（従来の画像信号）と本実施形態に係るコンピュータシステム１０の画像信号（本実施形態の画像信号）を比較したタイムチャートである。
【００１９】
図２は、時刻ｔ１において出力画面が「Ａ」から「Ｂ」に更新され、更に時刻ｔ２において「Ｃ」に更新された場合の例を示しており、従来の画像信号では、出力画面が更新されたかどうかに関わらず連続して出力画面のデータが送信されているのに対して、本発明の画像信号では、出力画面が更新された直後のみ出力画面のデータが送信され、それ以外の各周期ではすべて記号「Ｗ」で示される「全白画面」が送信されている。
【００２０】
したがって、有効な出力画面のデータの送信回数が少なくなる分、従来に比べて画面が盗視される可能性は小さくなり、もし出力画面が盗視されて残像効果が大きい表示装置に出力されたとしても、画面上には有効な出力画面が一瞬表示された後すぐに「全白画面」が表示されるので、出力画面からデータが盗視される危険性は極めて低くなるものと考えられる。
【００２１】
なお、出力画面が更新されなかったときに連続して「全白画面」を送信する方法では、有効な画面データと「全白画面」のデータとの区別が容易であり、そこから有効な画面データだけが抽出される可能性があるので、出力画面が更新されなかったときに連続して「全白画面」を送信する代わりに、中間の「全白画面」の部分（図２の記号「Ｗ」と「Ｗ」の間の「・・・」で示されている部分）にダミー画面やランダムに生成した画面のデータを送信するとともに、有効な画面データは２つの「全白画面」に挟んで送信するようにし、ディスプレイ装置側では２つの「全白画面」によって挟まれた画面データだけを取り込み、それ以外はすべて読み飛ばすようにしてもよい。
【００２２】
本実施形態における、画面データを送信するための画像信号は、アナログＲＧＢ以外にＬＶＤＳ（Low Voltage Differential Signaling）やＴＭＤＳ（Transition Minimized Differential Signaling）等のディジタル信号であってもよい。
【図面の簡単な説明】
【００２３】
【図１】本発明に係る画面盗視防止方法を用いたコンピュータシステムの構成例を示すブロック図である。
【図２】従来の画像信号と本実施形態の画像信号を比較したタイムチャートである。
【符号の説明】
【００２４】
１    コンピュータ本体
２    ディスプレイ装置
３    接続ケーブル
１０  コンピュータシステム
１１  ＣＰＵ
１２  出力用ビデオメモリ
１３  画像信号出力部
１４  ビデオボード
２１  出力画面抽出部
２２  表示用ビデオメモリ
２３  表示回路
２４  表示部
【図１】
2010129016.tif 000003
【図２】
2010129016.tif 000004